(57)【要約】【課題】  連続して長時間に亘って消化液を放出することができると共に、老人や子供でも簡単に使用することができ、しかもより高い消火力が得られるようにした消火器具を提供する。【解決手段】  円筒状の器具本体と、器具本体の上方部に設けられ、その内部上方空間に連通する吸水口と、前記器具本体の上方部に設けられ、前記吸水口と対向する位置で内部上方空間と連通する放水口と、器具本体内へ充填した所定量の澱粉からなる消火剤と、前記充填した消火剤の上端面に載置され、その上面側に上方へ突出する複数の羽根体を、また下面側に下方へ突出する複数の突起体を、更に前記羽根体の近傍に複数の孔部を夫々備えた混合調整盤とから成り、前記上部空間内を流通する水流により混合調整盤を回転させ、前記突起体により掻き取りした消火剤を透孔を通して水流内へ混入させ、澱粉を混合した消火液を放射する。【選択図】  図１
2006311910.tif 000002
【特許請求の範囲】
【請求項１】
円筒状の器具本体と、器具本体の上方部に設けられ、その内部上方空間に連通する吸水口と、前記器具本体の上方部に設けられ、前記吸水口と対向する位置で内部上方空間と連通する放水口と、器具本体内へ充填した所定量の澱粉からなる消火剤と、前記充填した消火剤の上端面に載置され、その上面側に上方へ突出する複数の羽根体を、また下面側に下方へ突出する複数の突起体を、更に前記羽根体の近傍に複数の孔部を夫々備えた混合調整盤とから成り、前記上部空間内を流通する水流により混合調整盤を回転させ、前記突起体により掻き取りした消火剤を透孔を通して水流内へ混入させ、澱粉を混合した消火液を放射する構成としたことを特徴とする簡易型消火器具。
【請求項２】
消火剤と水との混合比を２０〜８０ｇｒ／ｌとするようにした請求項１に記載の簡易型消火器具。
【請求項３】
吸水口からの水を器具本体の上部空間内へその内周面に対して切線方向に放出し、混合調整盤を回転させる構成とした請求項１に記載の簡易型消火器。
【発明の詳細な説明】
【技術分野】
【０００１】
本発明は、家庭等で使用する初期消火用の簡易型消火器具の改良に関するものであり、持ち運びが容易で子供や老人等でも簡単に使用することができるうえ、保守管理にも手数が掛からず、しかも消火液から有害ガスを発生することなしに長時間放水することができ、優れた消火性能を得られるようにした簡易型消火器具に関するものである。
【背景技術】
【０００２】
従前から、初期消火用の消火器具としては、炭酸ガス消火器や泡消火器、粉末消火器等の小型携帯用消火器や屋内消火栓等が広く利用されている。
しかし、前者の各種携帯用消火器は、有効作動時間（放水時間）が短いうえ、老人や子供では簡単に使用できないと云う問題がある。
また、定期的に消火用薬剤を交換する必要があるうえ、多量のＣＯ2を外部へ放出したり、消火用薬剤による汚損を生じたりすると云う難点がある。
【０００３】
更に、屋内消火栓は単独で使用することが困難なうえ、一般家庭等には設置が義務付けらえていないため、現実には初期消火に使用することができない。
【０００４】
一方、水道の給水栓にゴムホース等を連結するようにした簡易型消火栓（屋内消火栓の代替品）は、操作が容易で且つ安価であるうえ、初期消火用としては高い効用を有している。
【０００５】
しかし、単に水を燃焼物上へ放出し、水の冷却効果によって消火を行う方法は、所謂消火性能が一般に極めて低く、極く限られた範囲の小火炎に対してしか消火効力を発揮することができない。その結果、初期消火に失敗して大火災に移行し易いと言う問題がある。
【０００６】
また、水を燃焼物上へ放出すると、放出した水の大部分が外部へ流出することになり、例えば２階で放出された水は、その殆どが消火作用に寄与せずに畳や床面を通して１階天井裏へ漏出することになる。
その結果、放水地点以外の広い領域が汚損されることになり、万一火災が初期段階でうまく鎮火したとしても、散水による大きな被害を発生すると云う問題がある。
【０００７】
更に、水を直接に燃焼部分へ放出することによりうまく火炎を押えることができたとしても、燃焼物が木材等の場合には短時間後に再燃することがあり、連続的に水を放出し続けなければ有効な消火ができないと云う問題がある。
【０００８】
【特許文献１】特開2003-192056
【特許文献２】特表2003-514638
【発明の開示】
【発明が解決しようとする課題】
【０００９】
本発明は、従前の屋内消火栓の代替品である簡易型消火栓における上述の如き問題、即ち、イ．消火性能が低く、極く限られた範囲の火炎にしか消火効力が発揮できないこと、ロ．放水した水による２次被害が増大すること、ハ．鎮火した燃焼物が再燃焼し易いため、鎮火後にも大量の水を連続的に放水する必要があること等の問題を解決せんとするものであり、老人等でも簡単に使用することができ、しかも散布水による２次被害の発生を押えることができると共に、燃焼物の再燃焼を有効に防止できるようにした簡易型消火器具を提供することを発明の主目的とするものである。
【課題を解決するための手段】
【００１０】
請求項１の発明は、円筒状の器具本体と、器具本体の上方部に設けられ、その内部上方空間に連通する吸水口と、前記器具本体の上方部に設けられ、前記吸水口と対向する位置で内部上方空間と連通する放水口と、器具本体内へ充填した所定量の澱粉からなる消火剤と、前記充填した消火剤の上端面に載置され、その上面側に上方へ突出する複数の羽根体を、また下面側に下方へ突出する複数の突起体を、更に前記羽根体の近傍に複数の孔部を夫々備えた混合調整盤とから成り、前記上部空間内を流通する水流により混合調整盤を回転させ、前記突起体により掻き取りした消火剤を透孔を通して水流内へ混入せしめて、澱粉を混合した消火液を放射する構成としたことを発明の基本構成とするものである。
【００１１】
請求項２の発明は、請求項１の発明において、消火剤と水との混合比を２０〜８０ｇｒ／ｌとするようにしたものである。
【００１２】
請求項３の発明は、請求項１の発明において、吸水口からの水を器具本体の上部空間内へその内周面に対して切線方向に放出し、混合調整盤を回転させる構成としたものである。
【発明の効果】
【００１３】
本発明に係る簡易型消火器具は比較的軽量であり、しかもホースの一端を水道の蛇口等へワンタッチで連結するだけで自動的に消化液を噴射することができ、子供や老人等でも簡単に使用することができるうえ、長時間の放水も可能である。その結果、初期消火に成功する確率が増え、大炎害の発生を未然に防止することが可能になる。
【００１４】
また、水と消火剤である澱粉（かたくり粉）との混合は消火器具本体１内で自動的に行われる。その結果、所定濃度の消火剤を含有した消火液Ｃを安定して散布することができ、より有効な消火が行える。
【００１５】
更に、散布した消火液Ｃは、火炎により加熱されることにより温度が上昇して粘度が増すと共に、所謂ゲル状の物質に変換可能な状態となる。これにより、水分の蒸発等による冷却だけでなく、燃焼物の外表面が具合良く覆われて空気の供給が有効に遮断されると共に、散布した消化液Ｃが広い範囲に亘って無駄に流出、拡散することが少なくなり、より有効な消火が行われる。
【００１６】
加えて、消火液が加熱によりゲル化されるため、従前の散布水のように広範囲に亘って飛散や流動若しくは浸透をすることが皆無となり、所謂２次被害の発生が減少すると共に、ゲル化された消火液Ｃにより空隙部が充填・密封されるため、漏水等が大幅に減少する。
【発明を実施するための最良の形態】
【００１７】
以下、図面に基づいて本発明の実施形態を説明する。
図１は、本発明に係る簡易型消化器具Ａの断面概要図であり、図２は混合調整盤５の表面図（平面図）、図３は混合調整盤５の裏面図である。
【００１８】
図１において、Ａは簡易型消火器具、Ｂは連結用ホース、１は器具本体、２は給水口、３は放水口、４は消火剤（澱粉）、５は混合調整盤、６は乾燥剤、７は把手である。
【００１９】
前記器具本体１は内容積が１０〜３０ｌ程度の合成樹脂製(又は金属製)であり、胴部１ａと蓋部１ｂとから形成されている。胴部１ａは円筒状に形成されており、これに蓋部１ｂがねじ機構１ｃ（又はフランジ機構）により着脱可能に気密状に固定されている。
また、蓋部１ｂ（又は胴部１ａの上方）には吸水口２と放水口３が、更に、吸水管２ａと放水管３ｃの間には把手７が夫々設けられている。加えて吸水口２の先端部にはワンタッチ構造のホース連結具８が取り付けされている。
尚、前記ホース連結具８へは、適宜の長さを有する連結用ホースＢの端部がワンタッチで着脱可能に連結され、ホースＢ内を通して水道栓（図示省略）等から水Ｗが器具本体１内へ供給される。また、９は放水コックである。
【００２０】
前記消火剤４は所謂澱粉（かたくり粉）であり、食用かたくり粉と同質のものである。尚、本発明で使用する澱粉の原料、種類等は如何なるものであってもよく、また製品の品質も特に高品質のものは不要である。また、粒度も通常のメリケン粉やセメント粉程度のものであればよいく、場合によっては粒度がもう少し大きいものでも良い。
【００２１】
前記混合調整盤５は、器具本体１の胴部内径よりもやや小さな外径を有する金属又は合成樹脂製の円盤体であり、その上面側には４〜６個の羽根体１０が形成されている。
尚、この羽根体１０は、吸水口２から流入して放水口３より流出する水流により混合調整盤５を一方向へ回転させるものであり、プレス加工により盤材の一部を下方より上方へ突出せしめて羽根体１０を形成すると共に、羽根体１０を突出せしめた部分の孔部１１を消火剤４等の導入用孔部１１とするものである。
【００２２】
尚、図１乃至図３においては、盤材をプレス加工することにより羽根体１０と孔部１１とを同時に形成するようにしているが、羽根体１０と孔部１１を夫々別個に形成するようにしてもよいことは勿論である。
また、吸水管２ａの先端開口部と放水管３ｃの基端部とは、夫々器具本体１の上部空間１ｃ内の対向する位置に開口されており、これによって水流が一定方向に形成されるようにしている。
更に、吸水管２ａの先端開口部を本体１の内周面に対して接線方向となるように配置し、水Ｗを接線方向に噴出して混合調整盤５を強制回転させるようにしてもよい。
【００２３】
前記混合調整盤５の表面側の中央部には乾燥剤６の収容部が形成されており、ここに乾燥剤を収容しておくことにより、器具本体１の内部の乾燥度を保ち、消火剤（澱粉）４が不必要に強固に固化するのを防止している。
【００２４】
前記混合調整盤５の裏面側には、図３に示すように切削刀状の複数の突起体１２が設けられている。当該突起体１２の形態は如何なるものであってもよく、後述するように混合調整盤５が水流によって回転されたときに、突起体１２が消火剤（澱粉）４の外表面を引っ掻きして、消火剤の粉状体を形成する。また、この形成された粉状体は、前記孔部１１を通して水流内へ連続的に供給されて行く。
【００２５】
当外混合調整盤５は、器具本体１内へ充填した消火剤４の上端面へ直接に載置されており、粉状の消火剤４の充填層をその上方より軽く押えた状態となっている。
【００２６】
次に、本発明の作動について説明する。
当該簡易型消火器具Ａは、器具本体１の胴部１ａ内へ所定量（例えば３〜１０ｋｇ）の消火剤４を充填したあとその上面に混合調整盤５を載置し、蓋部１ｂを胴部１ａへねじ込み固定した状態で通常の消火器と同様に所定の場所に設置されている。尚、放水ノズル３ａは、自存継手３ｂにより３６０°回転自在に予め放水管３ｃに固定されている。
【００２７】
火炎が発生した場合には、連結用ホースＢの先端を水道の吸水栓（図示省略）等へ連結すると共に、連結用ホースＢの他端を吸水口２の先端のホース連結具８へワンタッチ方式で連結する。そして器具本体１の把手７を持ってこれを火炎箇所へ移動させ、放水ノズル３ａを火炎へ向けてコック９を開放し、消火液Ｃを放出する。
【００２８】
即ち、コック９の開放により、水道水Ｗは吸水口２から器具本体１内へ流入し、内部空間1ｄ内で消化剤４が混入された消化液Ｃが、放水口３を通してその先端の放水ノズル３ａより火炎へ向けて放射される。
尚、水道水Ｗが器具本体１内を流通することにより、消火剤４の上面に載置されている混合調整盤５が羽根体１０に作用する水流の動圧により低速回転される。これにより、混合調整盤５の下面側の突起体１２が消火剤４の上面側を掻き削り、掻き削られた消火剤４の粉体（若しくは粉片）が孔部１１を通して水流Ｗ内へ混入されることにより、前記消化液Ｃが尚部空間１ｄ内で形成される。
【００２９】
前記消火剤４は、充填された直後は完全な粉状体であるが、時間の経過と共に吸水等によって自然に団結し、時間が経過すると極めて崩れ易い状態ではあるものの固形体の状態となる。その結果、固形体の上部に載置した状態となっている混合調整盤５が水流Ｗによって回転されることにより、固形状の消火剤４が順次掻き削られると共に、孔部１１を通して水流Ｗ中へ繰り出されることになる。
また、消火活動が一定時間継続されて消化剤４の量が減少してくると、混合調製盤５に作用する回転駆動力の方も減少してくるか若しくは喪失される異になる。しかし、その時点では、水Ｗが消火剤4内へ浸入して消火剤４は固化状態から解離された状態になり、この解離された状態の消火剤４と水Ｗとの混合体が孔部１１を通して上部空間１ｄ内の水Ｗ内へ混入することになり、消火液Ｃは略一定の消火剤濃度に保持されることになる。
【００３０】
前記水流Ｗ内への消火剤４の混合量は、水１ｌに対して２０〜８０ｇｒの消火剤量とするのが最も望ましく、このことは各種の消火実験により確認されている。
尚、前記混合調整盤５の羽根体１０や突起体１２の数量及び大きさ等は、前記消火剤４の混合量が所定値となるように適宜に設定されていることは勿論である。
【００３１】
器具本体１の上部空間１ｄ内を流通中にその内部へ消火剤４が混入された消化液Ｃは、放水ノズル３ａより火炎へ向けて放射される。
また放射された消化液Ｃは火炎によって昇温され、粘度が上昇すると共に所謂ゲル状に凝結可能な状態となる。
【００３２】
即ち、火炎上へ放射された消化液Ｃは火炎を包覆すると共に、水分Ｗの蒸発により燃焼物を冷却することにより消火機能を発揮する。
また、火炎により蒸発されなかった消化液Ｃは、その温度が下降するにつれてゲル状に凝結することになり、結果として燃焼部から外方へ拡散したり、或いは浸透したりする機能が阻害されることになる。
その結果、消化液Ｃの拡散等による器物の損傷範囲が限定されるだけでなく、火炎地点の近傍に水分Ｗがより高密度で多量に保持（若しくは保存）されることになり、所謂延焼の防止効果が向上することになる。また、水が侵入する隙間等がゲル化した消火液Ｃにより閉塞され、所謂消火液Ｃの漏洩が防止される。
【実施例１】
【００３３】
内容積２０ｌの円筒状器具本体１（内径２２０ｍｍ）内へ１０ｋｇの消火剤４を充填し、その上面に厚さ２ｍｍ、外径２００ｍｍの金属製混合調整盤５（羽根体１０の寸法１０ｍｍ×３０ｍｍ×６ヶ、孔部１１の寸法１０ｍｍ×２０ｍｍ×６ヶ、突起体１２・高さ５ｍｍの三角錐状×１５ヶ）を載置することにより、簡易型消火器具Ａを形成した。
これに、内径８ｍｍの散水用の樹脂製連結用ホースＢを接続し、水道栓（１０Ａ・水圧約１ｋｇ／ｃｍ2）から水道水Ｗを給水をした。
放水ノズル３ａの口径を３ｍｍとしたとき、約１５分間の放水（放水総量約２５０ｌ）で消火剤４が消費し尽くされた。
この時の消火剤４の平均混合率は約１００００ｇγ／２５０≒４０ｇｒ／ｌ程度であった。
【００３４】
通常の水Ｗのみを放水した場合に比較して、同じ火源に対して消火に要する時間が約３０〜３５％程度短縮され、消化機能が大幅に向上することが確認できた。
また、消火液Ｃの拡散範囲は、畳み上での燃焼の場合には、通常の水Ｗの放水の場合に比較して面積比で約１／３程度に減少することが確認できた。
尚、消火剤Ｃを消耗し尽くした後でも、必要な場合には引き続き水Ｗを放出しても良いことは勿論である。
【産業上の利用可能性】
【００３５】
本発明は、一般家庭や工場等に設置する通常の消火器の代替品としてのみでなく、消防自動車用や固定消火設備用としても利用することが可能である。
【図面の簡単な説明】
【００３６】
【図１】本発明に係る簡易型消火器具の断面概要図である。
【図２】混合調整盤の表面図（平面図）である。
【図３】混合調整盤の裏面図である。
【符号の説明】
【００３７】
Ａは簡単型消火器具、
Ｂは連結用ホース
Ｗは水道水
Ｃ消火液
１は本体
１ａは胴部
１ｂは蓋部
１ｃはねじ機構
１ｄは上部空間
２は給水口
２ａは給水管
３は放水口
３ａは放水ノズル
３ｂは角度調整機構
３ｃは放水管
４は消火剤
５は混合調整盤
６は乾燥剤
７は把手
８はホース連結具
９は放水コック
１０は羽根体
１１は孔部
１２は突起体
【図１】
2006311910.tif 000003
【図２】
2006311910.tif 000004
【図３】
2006311910.tif 000005